(57)【要約】【課題】国内試合や国際試合等の大会規模に応じて、簡易な構成でゴールポストの高さを変更可能とする運動競技用ゴールを提供する。【解決手段】左右一対の互いに平行なゴールポスト１０Ａ，１０Ｂと、該ゴールポスト１０Ａ，１０Ｂ間に連結され左右方向に延びるクロスバー２０と、前記ゴールポスト１０Ａ，１０Ｂをグラウンド２の設置位置３に対して直立状態に支持可能な左右一対の固定支持部３０Ａ，３０Ｂと、を備えた運動競技用ゴール１であって、前記ゴールポスト１０Ａ，１０Ｂの下端と前記固定支持部３０Ａ，３０Ｂとの間に着脱可能に構成された延長用ゴールポスト５０Ａ，５０Ｂを更に備え、前記ゴールポスト１０Ａ，１０Ｂの下端と前記固定支持部３０Ａ，３０Ｂとの間に前記延長用ゴールポスト５０Ａ，５０Ｂを着脱可能に連結することにより、前記ゴールポスト１０Ａ，１０Ｂの前記グラウンド２からの高さを変更可能としたものである。【選択図】  図１
2017099741.tif 000002
【特許請求の範囲】
【請求項１】
左右一対の互いに平行なゴールポストと、該ゴールポスト間に連結され左右方向に延びるクロスバーと、前記ゴールポストをグラウンドの設置位置に対して直立状態に支持可能な左右一対の固定支持部と、を備えた運動競技用ゴールであって、
前記ゴールポストの下端と前記固定支持部との間に着脱可能に構成された延長用ゴールポストを更に備え、
前記ゴールポストの下端と前記固定支持部との間に前記延長用ゴールポストを着脱可能に連結することにより、前記ゴールポストの前記グラウンドからの高さを変更可能としたことを特徴とする運動競技用ゴール。
【請求項２】
前記延長用ゴールポストは、前記ゴールポストの下端に継ぎ部材を介して連結され、前記固定支持部から立ち上がる接続部材に該延長用ゴールポストの下端を接続して連結されることを特徴とする請求項１に記載の運動競技用ゴール。
【請求項３】
前記ゴールポスト及び前記延長用ゴールポストのそれぞれは、前記クロスバーを連結するための連結部材を所定の位置に取り付け可能に構成されていることを特徴とする請求項１又は請求項２に記載の運動競技用ゴール。
【請求項４】
前記固定支持部は、前記設置位置に埋設固定された基礎部に対してボルトを介して固定されると共に、前記ゴールポストを支持して前記グラウンドに対して傾倒可能なヒンジ構造を有することを特徴とする請求項１〜請求項３のいずれか１項に記載の運動競技用ゴール。
【請求項５】
前記ゴールポスト及び前記クロスバーは、アルミ合金で形成された中空の管状部材であり、
前記延長用ゴールポストは、鉄で形成された中空の管状部材であることを特徴とする請求項１〜４のいずれか１項に記載の運動競技用ゴール。
【請求項６】
前記ゴールポストは、継ぎ部材を介して相互に連結される複数の管状部材から成ることを特徴とする請求項１〜請求項５のいずれか１項に記載の運動競技用ゴール。
【発明の詳細な説明】
【技術分野】
【０００１】
本発明は、ラグビーやアメリカンフットボール等で使用される運動競技用ゴールに関し、詳しくは、国内試合や国際試合等の大会規模に応じてゴールポストの高さを変更可能な運動競技用ゴールに係るものである。
【背景技術】
【０００２】
従来の運動競技用ゴールは、グラウンドの設置位置に対して直立する左右一対のゴールポストと、左右一対のゴールポストの間に連結されて左右方向に延びるクロスバーと、を含む略Ｈ形状のものとなっている（例えば、特許文献１参照）。
【先行技術文献】
【特許文献】
【０００３】
【特許文献１】特公平７−２８９４０号公報
【発明の概要】
【発明が解決しようとする課題】
【０００４】
前記運動競技用ゴールにおけるゴールポスト（例えば、ラグビーのゴールポスト）のグラウンドからの高さは、ルール上、３．４ｍ以上とされており、使用者の年齢、設置施設の状況、又は大会規模等に応じて高さが選択されている。また、国内のグラウンドはサッカーや陸上など多目的に利用されることが多いことから、他の競技を行う際に支障がないよう設置及び撤去が容易な運動競技用ゴール（ラグビーゴール）が望まれている。このため、主に日本国内で使用される従来のラグビーゴールにおいては、設置及び撤去が容易な高さ９．２ｍのゴールポストを使用することが多い。しかし、大会規模によっては、トライ後のコンバージョン（ゴールキック）やペナルティキック等のプレー時にボールがゴールポストの高さよりも高い軌跡を描くことがあり、ゴールの判定が難しい場合があった。このため、ラグビーワールドカップ等の国際試合においては、高さ１５ｍを超えるゴールポストを使用する場合がある。
【０００５】
従来において、高さ１５ｍを超えるゴールポストを使用する場合には、予め組立てられたラグビーゴールを、クレーン等の重機を用いて上方に吊り上げつつ、グラウンドの設置位置に移動して設置又は撤去していた。しかし、高さ１５ｍを超えるゴールポストを使用するラグビーゴールをグラウンドに常設するためには、日本の法令上、建築確認申請が必要となる。このため、高さ１５ｍを超えるラグビーゴールを設置及び撤去するために、グラウンド上でクレーン等の重機を用いる頻度が増えてしまうと、設置及び撤去にかかる費用が増大すると共にグラウンドの芝生等を保護するために重機の通行路を養生する手間や作業人数が多くなるおそれがある。
【０００６】
そこで、このような問題点に対処し、本発明が解決しようとする課題は、国内試合や国際試合等の大会規模に応じて、簡易な構成でゴールポストの高さを変更可能とする運動競技用ゴールを提供することにある。
【課題を解決するための手段】
【０００７】
前記課題を解決するために、本発明による運動競技用ゴールは、左右一対の互いに平行なゴールポストと、該ゴールポスト間に連結され左右方向に延びるクロスバーと、前記ゴールポストをグラウンドの設置位置に対して直立状態に支持可能な左右一対の固定支持部と、を備えた運動競技用ゴールであって、前記ゴールポストの下端と前記固定支持部との間に着脱可能に構成された延長用ゴールポストを更に備え、前記ゴールポストの下端と前記固定支持部との間に前記延長用ゴールポストを着脱可能に連結することにより、前記ゴールポストの前記グラウンドからの高さを変更可能としたものである。
【発明の効果】
【０００８】
本発明による運動競技用ゴールは、前記ゴールポストの下端と前記固定支持部との間に着脱可能に構成された延長用ゴールポストを更に備え、前記ゴールポストの下端と前記固定支持部との間に前記延長用ゴールポストを着脱可能に連結することにより、前記ゴールポストの前記グラウンドからの高さを変更可能とすることができる。このため、国内試合や国際試合等の大会規模に応じて、簡易な構成でゴールポストの高さを容易に変更することができる。
また、前記固定支持部がグラウンドに対して傾倒可能なヒンジ構造を有するものであれば、前記ゴールポスト又は前記延長用ゴールポストを前記固定支持部に対して容易に連結及び取り外すことが可能となるので、前記運動競技用ゴールをクレーン等の重機を使用することなく容易に設置及び撤去することができると共に、設置及び撤去にかかる手間や作業人数の削減、及びコストダウンが図れる。
【図面の簡単な説明】
【０００９】
【図１】本発明による運動競技用ゴールの実施形態を示す図であり、（ａ）はグラウンドからの高さを変更する前の状態を示す正面図であり、（ｂ）はグラウンドからの高さを変更した後の状態を示す正面図である。
【図２】前記運動競技用ゴールの構造を示す分解図であり、（ａ）はグラウンドからの高さを変更する前の運動競技用ゴールを示す分解正面図であり、（ｂ）はグラウンドからの高さを変更した後の運動競技用ゴールを示す分解正面図である。
【図３】前記運動競技用ゴールにおけるゴールポスト、延長用ゴールポスト及び固定支持部を示す図であり、（ａ），（ｂ），（ｃ）は前記ゴールポストを構成する３つの部材を示す正面図であり、（ｄ）は延長用ゴールポストを示す正面図であり、（ｅ）は固定支持部を示す側面図である。
【図４】前記ゴールポストの下端と固定支持部との間に連結された延長用ゴールポストを示す図１（ｂ）の左側面図である。
【図５】前記ゴールポストと前記延長用ゴールポストとを連結するための継ぎ部材を説明するための図であり、（ａ）は継ぎ部材を示す正面図であり、（ｂ）はゴールポストと延長用ゴールポストとを継ぎ部材を介して連結した状態を示す図であり、（ｃ）は（ｂ）のＡ−Ａ線断面図であり、（ｄ）は（ｃ）のＢ−Ｂ線断面図である。
【図６】前記ゴールポスト又は前記延長用ゴールポストにクロスバーを連結するための連結部材を示す図であり、（ａ）はゴールポスト又は延長用ゴールポストに取り付けられた連結部材を示す正面図であり、（ｂ）は（ａ）の右側面図であり、（ｃ）は（ａ）の底面図である。
【図７】前記固定支持部を構成する第１の部材を示す図であり、（ａ）は前記第１の部材を示す正面図であり、（ｂ）は（ａ）の左側面図であり、（ｃ）は（ａ）の平面図である。
【図８】前記固定支持部材を構成する第２の部材を示す図であり、（ａ）は前記第２の部材を示す正面図であり、（ｂ）は（ａ）の左側面図であり、（ｃ）は（ａ）の平面図である。
【図９】前記固定支持部を構成する第３の部材及び固定支持部を固定するための基礎部を示す図であり、（ａ）は第３の部材を示す平面図であり、（ｂ）は基礎部を示す断面図である。
【図１０】前記運動競技用ゴールにおける固定支持部の設置状態を示す図であり、（ａ）は前記基礎部に設置されている固定支持部を示す図であり、（ｂ）は（ａ）の平面図である。
【図１１】本発明による運動競技用ゴールの組立方法を説明するための図であり、（ａ）はグラウンドに対して運動競技用ゴールを傾倒させたとき又は直立させたときの状態を示す図であり、（ｂ）は運動競技用ゴールを傾倒させたとき又は直立させたときの固定支持部の状態を示す図である。
【発明を実施するための形態】
【００１０】
以下、本発明の実施の形態を添付図面に基づいて説明する。
図１は、本発明による運動競技用ゴールの実施形態を示す図であり、図２は、前記運動競技用ゴールの構造を示す分解図である。この運動競技用ゴール１（以下、「ゴール１」と略称する）は、ラグビー又はアメリカンフットボール等で使用される略Ｈ形状のものであり、図１（ａ）に示すように、左右一対のゴールポスト１０Ａ，１０Ｂと、クロスバー２０と、左右一対の固定支持部３０Ａ，３０Ｂと、を備えている。
【００１１】
前記左右一対のゴールポスト１０Ａ，１０Ｂは、それぞれ同一の材料で形成された中空の管状部材であり、その軸線が互いに平行な状態でグラウンド２の設置位置３に対して直立状態に支持されている。また、各ゴールポスト１０Ａ，１０Ｂは、同一の材料で形成された複数の管状部材を相互に連結することによって形成されてもよい。本実施形態において、各ゴールポスト１０Ａ，１０Ｂは、３つの管状部材、すなわち第１の管状部材１０ａと、第２の管状部材１０ｂと、第３の管状部材１０ｃとから成る。第１〜第３の管状部材１０ａ〜１０ｃは、図２（ａ）に示すように、継ぎ部材６０を介して相互に連結される。また、図示左側のゴールポスト１０Ａと図示右側のゴールポスト１０Ｂとは、通常、５．６ｍの間隔をあけてグラウンド２に対して直立している。
【００１２】
前記クロスバー２０は、中空の管状部材であり、図１（ａ）に示すように、左右一対の連結部材４０Ａ，４０Ｂを介してゴールポスト１０Ａ，１０Ｂ間に連結され左右方向に延びている。また、このクロスバー２０は、通常、グラウンド２からの高さが約３ｍの位置でゴールポスト１０Ａ，１０Ｂ間に連結されている。
【００１３】
前記左右一対の固定支持部３０Ａ，３０Ｂのそれぞれは、左側のゴールポスト１０Ａ及び右側のゴールポスト１０Ｂをグラウンド２の設置位置３に対して直立状態に支持可能に構成されている。また、固定支持部３０Ａ，３０Ｂは、グラウンド２の設置位置３に埋設固定された左右一対の基礎部３１Ａ，３１Ｂに対して固定されている。本実施形態において、固定支持部３０Ａ，３０Ｂは、基礎部３１Ａ，３１ＢのコンクリートＣＲから上方に突き出たアンカーボルト３１ａなどのボルトを介して基礎部３１Ａ，３１Ｂに固定されている。
【００１４】
ここで、本発明においては、前記ゴール１は、図１（ｂ）及び図２（ｂ）に示すように、ゴールポスト１０Ａ，１０Ｂの下端と固定支持部３０Ａ，３０Ｂとの間に着脱可能に構成された左右一対の延長用ゴールポスト５０Ａ，５０Ｂを更に備えている。この延長用ゴールポスト５０Ａ，５０Ｂは、ゴールポスト１０Ａ，１０Ｂの下端と固定支持部３０Ａ，３０Ｂとの間に着脱可能に連結されるものであり、ゴールポスト１０Ａ，１０Ｂのグラウンド２からの高さを変更可能とするものである。
【００１５】
前記左右一対の延長用ゴールポスト５０Ａ，５０Ｂは、それぞれ同一の材料で形成された中空の管状部材であり、その軸線が互いに平行な状態でグラウンド２の設置位置３に対して直立状態に支持されている。また、延長用ゴールポスト５０Ａ，５０Ｂは、図２（ｂ）に示すように、ゴールポスト１０Ａ，１０Ｂの下端、すなわち第１の管状部材１０ａの下端に継ぎ部材６０を介して連結される。
【００１６】
また、本実施形態において、ゴールポスト１０Ａ，１０Ｂのグラウンド２からの高さ、すなわち、ゴールポスト１０Ａ，１０Ｂの長さは１３ｍであり、第１の管状部材１０ａの長さは４．４ｍであり、第２及び第３の管状部材１０ｂ，１０ｃのそれぞれの長さは４．３ｍである。延長用ゴールポスト５０Ａ，５０Ｂの長さは４ｍであり、これによりゴールポスト１０Ａ，１０Ｂと固定支持部３０Ａ，３０Ｂとの間に延長用ゴールポスト５０Ａ，５０Ｂを連結した場合に、ゴール１のグラウンドからの高さが１７ｍとなる。
【００１７】
以下、ゴール１における各部材の構造について詳細に説明する。なお、ゴールポスト１０Ｂ、固定支持部３０Ｂ、基礎部３１Ｂ、連結部材４０Ｂ、及び延長用ゴールポスト５０Ｂについては、ゴールポスト１０Ａ、固定支持部３０Ａ、基礎部３１Ａ、連結部材４０Ａ、及び延長用ゴールポスト５０Ａと同じ構造であり説明を省略する。
【００１８】
図３は、前記ゴール１におけるゴールポスト１０Ａ、延長用ゴールポスト５０Ａ及び固定支持部３０Ａを示す図である。図３（ａ）〜（ｃ）に示すように、第１〜第３の管状部材１０ａ〜１０ｃは、断面円形状の中空のものであり、炭素鋼などの鉄、又はアルミ合金で形成されている。本実施形態において、第１〜第３の管状部材１０ａ〜１０ｃは、軽量化を図るため鉄よりも軽量なアルミ合金で形成されている。図３（ａ）に示すように、第１の管状部材１０ａの一端には、貫通孔１００，１０１が例えば２つずつ設けられており、他端には、貫通孔１０２が例えば２つ設けられている。また、第１の管状部材１０ａの中間部には、貫通孔１０３が例えば２つ設けられている。さらに、第１の管状部材１０ａの貫通孔１０３よりも図示左側には、後述するゴール１の組立時に使用されるワイヤ８０ｂがシャックル等を介して取り付けられる取付部１０４が設けられている。第２の管状部材１０ｂの両端には、貫通孔１０５，１０６が２つずつ設けられている（図３（ｂ）を参照）。第３の管状部材１０ｃの一端には、貫通孔１０７が２つ設けられている（図３（ｃ）を参照）。
【００１９】
延長用ゴールポスト５０Ａ，５０Ｂは、断面円形状の中空のものであり、炭素鋼などの鉄、又はアルミ合金で形成されている。本実施形態において、延長用ゴールポスト５０Ａ，５０Ｂは、強度向上のため炭素鋼などの鉄で形成されている。図３（ｄ）に示すように、延長用ゴールポスト５０Ａの一端には、第１の管状部材１０ａと同様、貫通孔５００，５０１が２つずつ設けられており、他端には、貫通孔５０２が２つ設けられている。また、延長用ゴールポスト５０Ａの中間部には、第１の管状部材１０ａと同様、貫通孔５０３が２つ設けられている。さらに、延長用ゴールポスト５０Ａの貫通孔５０３よりも図示左側には、第１の管状部材１０ａと同様の取付部５０４が設けられている。
【００２０】
固定支持部３０Ａは、図３（ｅ）に示すように、ゴールポスト１０Ａ又は延長用ゴールポスト５０Ａを連結するための接続部材３０ａが例えば溶接により接合された第１の部材である第１のプレート３０ｂと、第１のプレート３０ｂの下側に配置された第２の部材である第２のプレート３０ｃと、第２のプレート３０ｃの下側に配置された第３の部材である第３のプレート３０ｄと、を備えている。
【００２１】
接続部材３０ａは、ゴールポスト１０Ａ（第１の管状部材１０ａ）の下端又は延長用ゴールポスト５０Ａの下端に接続されるものである。本実施形態において、接続部材３０ａは、その外径がゴールポスト１０Ａ（第１の管状部材１０ａ）及び延長用ゴールポスト５０Ａの内径よりも小さく形成されており、これらゴールポスト１０Ａの下端又は延長用ゴールポスト５０Ａの下端に挿入することができる。接続部材３０ａの両端には、第１の管状部材１０ａの貫通孔１００，１０１及び延長用ゴールポスト５０Ａの貫通孔５００，５０１のそれぞれと対応するように、貫通孔３０ｅ，３０ｆがそれぞれ２つずつ設けられている。接続部材３０ａの下側部分には、接続部材３０ａよりも径方向外側に突出する環状部材３０ｇが例えば溶接により接合されている。接続部材３０ａの下側部分と第１のプレート３０ｂとの間には、例えば溶接によりそれぞれと接合された補強用のリブ３０ｈが設けられている。第１のプレート３０ｂと第２のプレート３０ｃとは、ヒンジ部３０ｉ及びヒンジ取付部３０ｊを介して連結されている。すなわち、固定支持部３０Ａは、ヒンジ部３０ｉと、ヒンジ取付部３０ｊと、を含むヒンジ構造を有しており、第１のプレート３０ｂを第２のプレート３０ｃに対して回動自在に構成されている。
【００２２】
このように構成されたゴールポスト１０Ａ、延長用ゴールポスト５０Ａ、及び固定支持部３０Ａは以下のように連結される。図４は、図１（ｂ）の左側面図である。延長用ゴールポスト５０Ａは、固定支持部３０Ａから立ち上がる接続部材３０ａを延長用ゴールポスト５０Ａの下端に接続してゴールポスト１０Ａと固定支持部３０Ａとの間に連結される。具体的には、延長用ゴールポスト５０Ａの下端に固定支持部３０Ａの接続部材３０ａを挿入する。そして、延長用ゴールポスト５０Ａの貫通孔５０１及び固定支持部３０Ａの貫通孔３０ｆのそれぞれにボルト７０ａを挿通し、各ボルト部に後述するナット７０ｂを螺合することにより、延長用ゴールポスト５０Ａと固定支持部３０Ａとが連結されて固定される。また、延長用ゴールポスト５０Ａの貫通孔５００及び固定支持部３０Ａの貫通孔３０ｅのそれぞれは、雄ネジが螺合される雌ネジ部を有しており、貫通孔５０１及び貫通孔３０ｆのそれぞれにボルト７１を螺合することにより、延長用ゴールポスト５０Ａの固定支持部３０Ａからのガタつきが防止される。なお、延長用ゴールポスト５０Ａを用いない場合、すなわち高さ１３ｍのゴール１を使用する場合は、ゴールポスト１０Ａの第１の管状部材１０ａが、延長用ゴールポスト５０Ａの場合と同様に、固定支持部３０Ａに連結されて固定される。
【００２３】
また、図４に示すように、ゴールポスト１０Ａ（第１の管状部材１０ａ）と延長用ゴールポスト５０Ａとは、継ぎ部材６０を介して連結されている。図５は、ゴールポスト１０Ａと延長用ゴールポスト５０Ａとを連結するための継ぎ部材６０を説明するための図である。継ぎ部材６０は、例えば、アルミ合金で形成された中空の管状部材であり、延長用ゴールポスト５０Ａ及び第１の管状部材１０ａの端部に設けられた貫通孔５０２，１００と対応するように、貫通孔６０ａ，６０ｂがそれぞれ２つずつ設けられている（図５（ａ）参照）。また、継ぎ部材６０は、第１の管状部材１０ａ及び延長用ゴールポスト５０Ａの端部に挿入可能なように、その外径がこれら第１の管状部材１０ａ及び延長用ゴールポスト５０Ａの内径よりも小さく形成されている。なお、継ぎ部材６０は、強度向上のため炭素鋼などの鉄で形成されたものであってもよい。
【００２４】
そして、継ぎ部材６０は、図５（ｂ）〜（ｄ）に示すように、第１の管状部材１０ａ及び延長用ゴールポスト５０Ａに挿入される。その後、延長用ゴールポスト５０Ａの貫通孔５０２及び継ぎ部材６０の貫通孔６０ａのそれぞれにボルト７０ａを挿通し、各ボルト部にナット７０ｂを螺合することにより、延長用ゴールポスト５０Ａと継ぎ部材６０とが連結されて固定される。同様に、第１の管状部材１０ａの貫通孔１００及び継ぎ部材６０の貫通孔６０ｂのそれぞれにボルト７０ａを挿通し、各ボルト部にナット７０ｂを螺合することにより、第１の管状部材１０ａと継ぎ部材６０とが連結されて固定される。なお、第１の管状部材１０ａと第２の管状部材１０ｂ、及び第２の管状部材１０ｂと第３の管状部材１０ｃについても上記と同様に継ぎ部材６０を介して連結される。すなわち、ゴールポスト１０Ａは、継ぎ部材６０を介して連結される複数の管状部材１０ａ〜１０ｃから成る。
【００２５】
図４に戻って、第１の管状部材１０ａと継ぎ部材６０を介して連結された部分よりも下側の延長用ゴールポスト５０Ａには、クロスバー２０を連結するための連結部材４０Ａが取り付けられている。図６は、ゴールポスト１０Ａ又は延長用ゴールポスト５０Ａにクロスバー２０を連結するための連結部材４０Ａを示す図である。連結部材４０Ａは、図６（ａ）〜（ｃ）に示すように、断面円形状の中空の管状部材４０ａと、断面円形状の中空の管状部材を半割りにした半円部材４０ｂと、を備えている。管状部材４０ａは、第１の管状部材１０ａ及び延長用ゴールポスト５０Ａの外径よりも大きい内径を有している。また、管状部材４０ａには、貫通孔４０ｃが２つ設けられている。半円部材４０ｂは、クロスバー２０の外径よりも大きな内径を有し、例えば溶接により管状部材４０ａに接合されている。また、半円部材４０ｂには、雌ネジ部を有する貫通孔４０ｄが２つ設けられている。なお、連結部材４０Ａの材料としては、炭素鋼などの鉄、又はアルミ合金が用いられる。
【００２６】
連結部材４０Ａは、管状部材４０ａに延長用ゴールポスト５０Ａを挿入し、延長用ゴールポスト５０Ａの貫通孔５０３及び管状部材４０ａの貫通孔４０ｃのそれぞれにボルト７０ａ、７２ａを挿通し、各ボルト部にナット７０ｂ及びアイナット７２ｂを螺合することにより、延長用ゴールポスト５０Ａに取り付けられる。なお、延長用ゴールポスト５０Ａを使用しない場合、すなわち高さ１３ｍのゴール１を使用する場合は、連結部材４０Ａは、第１の管状部材１０ａに取り付けられる。この場合、ボルト７０ａ、７２ａは、第１の管状部材１０ａの貫通孔１０３及び管状部材４０ａの貫通孔４０ｃのそれぞれに挿通され、各ボルト部にナット７０ｂ及びアイナット７２ｂが螺合される。すなわち、ゴールポスト１０Ａ（第１の管状部材１０ａ）及び延長用ゴールポスト５０Ａのそれぞれは、クロスバー２０を連結するための連結部材４０Ａを所定の位置に取り付け可能に構成されている。
【００２７】
クロスバー２０は、ゴールポスト１０Ａと同様、断面円形状の中空の管状部材であり、炭素鋼などの鉄、又はアルミ合金で形成されている。本実施形態において、クロスバー２０は、軽量化を図るため鉄よりも軽量なアルミ合金で形成されている。また、クロスバー２０の両端には、連結部材４０Ａの半円部材４０ｂに設けられた貫通孔４０ｄに対応するように、雌ネジ部を有する貫通孔（図示省略）が２つ設けられている。そして、クロスバー２０を半円部材４０ｂに乗せた状態で、クロスバー２０の貫通孔と半円部材４０ｂの貫通孔４０ｄとにボルト７３を挿通し、各ボルト部をクロスバー２０の貫通孔及び半円部材４０ｂの貫通孔４０ｄの雌ネジ部に螺合することにより、クロスバー２０が延長用ゴールポスト５０Ａ（又はゴールポスト１０Ａの第１の管状部材１０ａ）に連結されて固定される。
【００２８】
次に、固定支持部３０Ａの構造について図７〜１０を参照して説明する。固定支持部３０Ａは、上述したように、接続部材３０ａが接合された第１のプレート３０ｂと、第２のプレート３０ｃと、第３のプレート３０ｄと、を備えている。図７は、固定支持部３０Ａを構成する第１のプレート３０ｂを示す図である。図７（ａ）〜（ｃ）に示すように、第１のプレート３０ｂは、炭素鋼などの鉄で形成された平板上の板材である。第１のプレート３０ｂの上面には、上方に向かって立ち上がる接続部材３０ａが例えば溶接により接合されている（図７（ａ）を参照）。この接続部材３０ａは、第１のプレート３０ｂと同一の材料で形成されたものであり、断面円形状の中空の管状部材である。また、接続部材３０ａには、上述した環状部材３０ｇが設けられている。第１のプレート３０ｂと接続部材３０ａとの間には、補強用のリブ３０ｈが２つ設けられている。第１のプレート３０ｂには、第２のプレート３０ｃのヒンジ取付部３０ｊに取り付けられるヒンジ部３０ｉが設けられている。このヒンジ部３０ｉには、後述するヒンジピン３０ｒが挿通される貫通孔３０ｋが設けられている（図７（ａ），（ｂ）を参照）。また、第１のプレート３０ｂには、後述するボルト３０ｕが挿通されると共に雌ネジ部を有する貫通孔３０ｌが例えば４つ設けられている（図７（ｃ）を参照）。さらに、第１のプレート３０ｂの底面には、平面視で接続部材３０ａの中心に対応する位置に、穴部３０ｔが設けられている。
【００２９】
図８は、固定支持部３０Ａを構成する第２のプレート３０ｃを示す図である。図８（ａ）〜（ｃ）に示すように、第２のプレート３０ｃは、第１のプレート３０ｂと同様、炭素鋼などの鉄で形成された平板状の板材であり、略四角形状のものである。第２のプレート３０ｃには、ヒンジ取付部３０ｊが設けられている。このヒンジ取付部３０ｊには、後述するヒンジピン３０ｒが挿通される貫通孔３０ｍが設けられている（図８（ａ），（ｂ）を参照）。また、第２のプレート３０ｃには、各頂点付近に貫通孔３０ｎが４つ設けられている（図８（ｃ）を参照）。さらに、第２のプレート３０ｃには、上方に突出するプレート３０ｏが設けられている。このプレート３０ｏには、後述するピン３０ｘが挿通される貫通孔３０ｗが設けられている（図８（ｂ）を参照）。さらにまた、第２のプレート３０ｃには、平面視でその中央部よりやや右側に偏心した位置であって、第１のプレート３０ｂの穴部３０ｔに対応する位置に、上方に突出する半球状部材３０ｐが設けられている（図８（ｂ），（ｃ）を参照）。また、第２のプレート３０ｃには、半球状部材３０ｐの周囲であって、第１のプレート３０ｂの貫通孔３０ｌに対応する位置に、後述するボルト３０ｕが挿通されると共に雌ネジ部を有する貫通孔３０ｑが４つ設けられている（図８（ｃ）を参照）。
【００３０】
図９は、固定支持部３０Ａを構成する第３のプレート３０ｄ及び固定支持部３０Ａを固定するための基礎部３１Ａを示す図である。図９（ａ）に示すように、第３のプレート３０ｄは、第２のプレート３０ｃと同様、炭素鋼などの鉄で形成された平板状の板材であり、略四角形状のものである。第３のプレート３０ｄには、各頂点付近であって、第２のプレート３０ｃの貫通孔３０ｎと対応する位置に、貫通孔３０ｓが４つ設けられている。
【００３１】
基礎部３１Ａは、固定支持部３０Ａを設置して固定するためのものであり、図９（ｂ）に示すように、グラウンド２の設置位置３に埋設されたコンクリートＣＲと、コンクリートＣＲと一体化され、上方に突出する複数のアンカーボルト３１ａと、その底壁にアンカーボルト３１ａが挿通されてコンクリートＣＲに固定される略立方形状のケーシング本体３１ｂと、を備えている。ケーシング本体３１ｂの底壁には、強度向上のため無収縮モルタル材３１ｃが注入されている。ケーシング本体３１ｂの内部には、上記複数のアンカーボルト３１ａが上方に突出している。また、ケーシング本体３１ｂは、ゴール１の使用時に固定支持部３０Ａを挿入可能なように、その上面が開放されている。一方、ゴール１を使用しないときには、ケーシング本体３１ｂの上面は、別途設けられた蓋部材（図示省略）によって閉鎖される。このとき、アンカーボルト３１ａの先端部には、キャップ３１ｄが嵌め込まれていてもよい（図９（ｂ）を参照）。また、上記蓋部材は、その上面にグラウンド２と同様の芝生が取付けられており、ゴール１を使用しない他の競技を行う際に支障をきたすことがないように設けられている。すなわち、ケーシング本体３１ｂは、グラウンド２の設置位置３に埋設固定される、いわゆるターフトレイである。
【００３２】
また、固定支持部３０Ａは、以下のように構成された状態で基礎部３１Ａに設置されている。図１０は、前記ゴール１における固定支持部３０Ａの設置状態を示す図である。なお、図１０（ｂ）においては、以下で説明する基礎部３１Ａ、ボルト３０ｕ等を省略している。図１０（ａ），（ｂ）に示すように、第１のプレート３０ｂと第２のプレート３０ｃとは、ヒンジ部ｉの貫通孔３０ｋ及びヒンジ取付部３０ｊの貫通孔３０ｍのそれぞれにヒンジピン３０ｒを挿通することによって一体化されている。これにより、固定支持部３０Ａのヒンジ構造が形成される。第１のプレート３０ｂが一体化された第２のプレート３０ｃ及び第３のプレート３０ｄは、ケーシング本体３１ｂ内に配設されている。そして、各プレート３０ｃ、３０ｄは、貫通孔３０ｎ、３０ｓのそれぞれにアンカーボルト３１ａを挿通し、各ボルト部にナット３１ｅを螺合することにより、基礎部３１Ａに対して固定されている。
【００３３】
一方、第１のプレート３０ｂと第２のプレート３０ｃとは、各プレート３０ｂ、３０ｃに設けられると共に雌ネジ部を有する貫通孔３０ｌ、３０ｑのそれぞれにボルト３０ｕを挿通して螺合することによって互いに固定されている。このとき、第１のプレート３０ｂの穴部３０ｔには、第２のプレート３０ｃの半球状部材３０ｐが嵌合している（図１０（ａ）を参照）。これにより、第１のプレート３０ｂは、第２のプレート３０ｃに対して位置決めされた状態でボルト３０ｕによって固定されるので、第１のプレート３０ｂ（接続部材３０ａ）の第２のプレート３０ｃに対する位置ずれが抑制される。また、図１０（ｂ）に示すように、第２のプレート３０ｃのプレート３０ｏには、所定の長さのピン３０ｘが挿通されている。このピン３０ｘは、第１のプレート３０ｂと第２のプレート３０ｃとがボルト３０ｕによって固定される前に第１のプレート３０ｂが第２のプレート３０ｃに対してヒンジ構造を支点として回動してしまった場合に、第１のプレート３０ｂと当接することにより、それ以上の回動を規制する役割を果たす。以上のように、固定支持部３０Ａは、グラウンド２の設置位置３に埋設固定された基礎部３１Ａに対してアンカーボルト３１ａを介して固定されることにより、グラウンド２の設置位置３に設置されている。
【００３４】
そして、固定支持部３０Ａには、接続部材３０ａに延長用ゴールポスト５０Ａが連結されている。なお、図１０（ａ）に示すように、固定支持部３０Ａの環状部材３０ｇは、その上端がグラウンド２の地平線と同じ高さとなるように接続部材３０ａに接合されており、延長用ゴールポスト５０Ａ又はゴールポスト１０Ａの連結時にこれらゴールポスト１０Ａ，５０Ａの下端を受ける受け部として機能する。
【００３５】
次に、以上のように構成された本発明によるゴール１の組立方法について、図１１を参照して説明する。なお、以下では、高さ１７ｍのゴール１を組み立てる場合について説明する。
まず、グラウンド２の設置位置３に埋設固定された基礎部３１Ａに固定支持部３０Ａを挿入し固定する。ここで、固定支持部３０Ａは、上述したヒンジ構造によりグラウンド２に対して図１１（ａ），（ｂ）に示す矢印Ｃの方向に傾倒可能である。次に、このように構成された固定支持部３０Ａをグラウンド２に対して傾倒させた状態で延長用ゴールポスト５０Ａを固定支持部３０Ａの接続部材３０ａに挿入して連結する。そして、第１〜第３の管状部材１０ａ〜１０ｃを、継ぎ部材６０を介して相互に連結する。なお、各管状部材１０ａ〜１０ｃを相互に連結させてゴールポスト１０Ａを予め構成し、固定支持部３０Ａに連結された延長用ゴールポスト５０Ａに連結してもよい。また、高さ１３ｍのゴール１を組み立てる場合には、延長用ゴールポスト５０Ａを使用せず、固定支持部３０Ａには、第１の管状部材１０ａが連結される。この場合も、ゴールポスト１０Ａを予め構成し、固定支持部３０Ａに連結してもよい。
【００３６】
一方、図１１（ａ）に示すように、ゴールポスト１０Ａ及び延長用ゴールポスト５０Ａが傾倒している側とは反対側の、基礎部３１Ａ，３１Ｂに隣接する位置には、コンクリートＣＲ等で形成された一対のポール設置部４が予め埋設固定されている。このポール設置部４には、ゴール１を直立させるために使用されるポール８０が直立状態に設置されている。ポール８０の上端部には、第１の滑車８０ａが設けられている。ポール８０のグラウンド２付近には、ワイヤ８０ｂを巻き取るための手動ウインチ８０ｃが取り付けられている。手動ウインチ８０ｃに巻回されているワイヤ８０ｂは、第１の滑車８０ａに下方から巻き付けられて反転され、延長用ゴールポスト５０Ａの取付部５０４（又は第１の管状部材１０ａの取付部１０４）に対してシャックル等を介して取り付けられる第２の滑車８０ｄに上方から巻き付けられる。そして、第２の滑車８０ｄに巻き付けられたワイヤ８０ｂがポール８０の上端にあるワイヤ取付部８０ｅに取り付けられる。
【００３７】
その後、ワイヤ８０ｂを手動ウインチ８０ｃで巻き取ることにより、ゴールポスト１０Ａ及び延長用ゴールポスト５０Ａは、ワイヤ８０ｂに引っ張られ、固定支持部３０Ａのヒンジ構造を支点として図１１（ａ），（ｂ）に示す矢印Ｄの方向に徐々に回動して直立状態となる。そして、ゴールポスト１０Ａ及び延長用ゴールポスト５０Ａを直立位置に保持させた状態で固定支持部３０Ａの第１のプレート３０ｂの貫通孔３０ｌ及び第２のプレート３０ｃの貫通孔３０ｑのそれぞれにボルト３０ｕを挿通して螺合することにより、第１のプレート３０ｂ及び第２のプレート３０ｃを互いに固定する。次いで、ゴールポスト１０Ｂ及び延長用ゴールポスト５０Ｂを、上記と同様な方法で直立状態とする。
【００３８】
また、連結部材４０Ａ，４０Ｂについては、延長用ゴールポスト５０Ａ，５０Ｂ（又はゴールポスト１０Ａ，１０Ｂの第１の管状部材１０ａ）に予め取付けておくことが好ましい。そして、左右の設置位置３のそれぞれに脚立を設置し、複数人でクロスバー２０を連結部材４０Ａ，４０Ｂの位置まで運搬し、連結部材４０Ａ，４０Ｂを介して延長用ゴールポスト５０Ａ，５０Ｂ（又はゴールポスト１０Ａ，１０Ｂ）のそれぞれに連結する。
【００３９】
なお、組立作業完了後は、ポール８０を取り外して、試合に支障がないようにする。また、延長用ゴールポスト５０Ａ，５０Ｂ（高さ１３ｍのゴール１の場合はゴールポスト１０Ａ，１０Ｂ）の下部周囲には、弾力性のあるマット等を巻き付けてゲーム中に選手が延長用ゴールポスト５０Ａ，５０Ｂ（ゴールポスト１０Ａ，１０Ｂ）にぶつかった場合でも怪我のないようにする。
【００４０】
以上説明したように本発明の運動競技用ゴール１によれば、ゴールポスト１０Ａ，１０Ｂの下端と固定支持部３０Ａ，３０Ｂとの間に延長用ゴールポスト５０Ａ，５０Ｂを着脱可能に連結することにより、ゴールポスト１０Ａ，１０Ｂのグラウンド２からの高さを変更可能とすることができる。したがって、本発明の運動競技用ゴール１は、国内試合や国際試合の大会規模に応じて、簡易な構成でゴールポスト１０Ａ，１０Ｂの高さを容易に変更することができる。
【００４１】
また、上述した実施形態によれば、固定支持部３０Ａ，３０Ｂが基礎部３１Ａ，３１Ｂに対してアンカーボルト３１ａを介して固定されているので、運動競技用ゴール１を固定支持部３０Ａ，３０Ｂを介して安定して保持することができる。
【００４２】
さらに、上述した実施形態では、延長用ゴールポスト５０Ａ，５０Ｂは、アルミ合金で形成されたゴールポスト１０Ａ，１０Ｂとは異なり、炭素鋼などの鉄で形成されている。このため、延長用ゴールポスト５０Ａ，５０Ｂを使用して高さ１７ｍの運動競技用ゴール１を使用した場合であっても、延長用ゴールポスト５０Ａ，５０Ｂの上側に配置されたゴールポスト１０Ａ，１０Ｂを安定して保持することができる。
【００４３】
さらにまた、上述した実施形態では、固定支持部３０Ａ，３０Ｂは、ゴールポスト１０Ａ，１０Ｂ（又は延長用ゴールポスト５０Ａ，５０Ｂ）を支持すると共に、グラウンド２に対して傾倒可能なヒンジ構造を有しており、ワイヤ８０ｂにより各ゴールポスト１０Ａ（５０Ａ），１０Ｂ（５０Ｂ）を引き起こすことにより、運動競技用ゴール１が直立状態に組み立てられる。より詳細には、固定支持部３０Ａ，３０Ｂをグラウンド２に対して傾倒させることができるので、前記ゴールポスト１０Ａ，１０Ｂ又は前記延長用ゴールポスト５０Ａ，５０Ｂを前記固定支持部３０Ａ，３０Ｂに対して容易に連結及び取り外すことが可能となる。このため、運動競技用ゴール１をクレーン等の重機を用いることなく容易に設置及び撤去することができると共に、設置及び撤去にかかる手間や作業人数の削減、及び費用のコストダウンが図れる。
【００４４】
なお、本発明は、本実施形態において説明したゴールポスト１０Ａ，１０Ｂを３つの管状部材１０ａ〜１０ｃから成るものとしたが、これに限られず、２つの管状部材、又は１つの管状部材のみから成るものとしてもよい。
【００４５】
また、運動競技用ゴール１の組立方法の説明においては、左右の各ゴールポスト１０Ａ（５０Ａ），１０Ｂ（５０Ｂ）を順番に直立させ、その後、脚立を使用してクロスバー２０を左右の各ゴールポスト１０Ａ（５０Ａ），１０Ｂ（５０Ｂ）に連結するものとしたが、これに限られるものではない。例えば、グラウンド２上で各ゴールポスト１０Ａ（５０Ａ），１０Ｂ（５０Ｂ）、及びクロスバー２０を相互に連結して略Ｈ形状としたものを、固定支持部３０Ａ，３０Ｂのそれぞれに連結し、その後、手動ウインチ８０ｃによって直立させてもよい。
【００４６】
なお、上述した実施形態では、運動競技用ゴール１のグラウンド２からの高さを１３ｍ又は１７ｍに変更可能なものとしたが、これに限られるものではない。例えば、ゴールポスト１０Ａ，１０Ｂ又は延長用ゴールポスト５０Ａ，５０Ｂの長さのそれぞれを適宜選択することによって、高さ９．２ｍ又は１５ｍ等、あらゆる高さに変更可能な運動競技用ゴール１を構成することが可能である。
【符号の説明】
【００４７】
１…運動競技用ゴール
２…グラウンド
３…設置位置
１０Ａ，１０Ｂ…ゴールポスト
１０ａ…第１の管状部材
１０ｂ…第２の管状部材
１０ｃ…第３の管状部材
２０…クロスバー
３０Ａ，３０Ｂ…固定支持部
３０ａ…接続部材
３１Ａ，３１Ｂ…基礎部
３１ａ…アンカーボルト
４０Ａ，４０Ｂ…連結部材
５０Ａ，５０Ｂ…延長用ゴールポスト
６０…継ぎ部材
【図１】
2017099741.tif 000003
【図２】
2017099741.tif 000004
【図３】
2017099741.tif 000005
【図４】
2017099741.tif 000006
【図５】
2017099741.tif 000007
【図６】
2017099741.tif 000008
【図７】
2017099741.tif 000009
【図８】
2017099741.tif 000010
【図９】
2017099741.tif 000011
【図１０】
2017099741.tif 000012
【図１１】
2017099741.tif 000013